(57)【要約】【課題】本発明は、鏡板とカウンターを一体的にみせることにより外観を向上させ、更に、鏡板の表面にできる水滴が、カウンターへ流れることのない、鏡受け具を提供することを課題とするものである。【解決手段】上記課題を解決するため、本発明は、鏡受け具の下部に、カウンターを嵌め込む段部と水抜き孔を形成したものである。【選択図】図４
2004024777.tif 000002
【特許請求の範囲】
【請求項１】
表面部と底面部及び裏面部により上面が開口する長尺材の内側に、鏡の下辺を直接又は間接的に支持する水平支持材を設け、下部前方に、カウンターを嵌合する段部を形成したことを特徴とする鏡受け具。
【請求項２】
表面部と底面部及び裏面部により上面に開口する長尺材の内側に、水抜き部を設けて水平支持材を取り付け、底面部に、所定の間隔で水抜き孔を形成したことを特徴とする請求項１記載の鏡受け具。
【請求項３】
水抜き部は、表面部と裏面部に固定された水平支持材に、所定の間隔で設けた水抜き孔から成ることを特徴とする請求項２記載の鏡受け具。
【請求項４】
水抜き部は、表面部に固定された水平支持材と、裏面部とによるスリットから成ることを特徴とする請求項２記載の鏡受け具。
【請求項５】
水平支持材で鏡板下端部を支持し、段部にカウンターの後端部を嵌合した鏡受け具の下方に、空間部を設けたことを特徴とする、鏡板とカウンターとの連接構造。
【発明の詳細な説明】
【０００１】
【発明が属する技術分野】
本発明は、浴室や洗面室等の壁面などに鏡板とカウンターを取付ける場合に好適な鏡受け具、及び、その鏡受け具を使用した鏡とカウンターとの連接構造に関するものである。
【０００２】
【従来の技術】
従来、浴室や洗面室等に、鏡板とカウンターを設けることはよく行われており、特開２０００−４１８１１号公報にみられるものでは、鏡板とカウンターとが上下方向にある程度の間隔を置いて、壁面に取り付けてある。
【０００３】
【発明が解決しようとする課題】
しかし、上記のものでは、鏡板とカウンターとをそれぞれ別個に取り付けているため、個々に水平位置を調整して取付けなければならないので、その取付け作業に時間を要していた。
また、鏡板とカウンターを近接して壁面に取り付けたものもあるが、取り付け作業は、カウンターのみ水平位置を調整して取り付け、鏡板は、それに合わせて目視にて平行に取り付けているが、この方法では鏡板の水平精度に誤差が生じる恐れがあった。
更に、鏡面にできた水滴がカウンターへ流れ、カウンターに水垢ができる要因にもなっていた。
【０００４】
本発明は、このような従来の問題点に鑑みてなされたもので、鏡板とカウンターを一体的にみせることにより外観を向上させ、更に、鏡板の表面にできる水滴が、カウンターへ流れることのない、鏡受け具を提供することを目的とするものである。
【０００５】
【課題を解決するための手段】
上記課題を解決するため、本発明は、鏡受け具の下部に、カウンターを嵌め込む段部と水抜き孔を形成したもので、具体的な構成は以下に示すとおりである。
【０００６】
具体的構成の１は、
表面部と底面部及び裏面部により上面に開口する長尺材の内側に、鏡の下辺を直接又は間接的に支持する水平支持材を設け、下部前方に、カウンターを嵌合する段部を形成したことを特徴とする鏡受け具である。
【０００７】
具体的構成の２は、表面部と底面部及び裏面部により上面に開口する長尺材の内側に、水抜き部を設けて水平支持材を取り付け、底面部に、所定の間隔で水抜き孔を形成したことを特徴とする鏡受け具である。
【０００８】
具体的構成の３は、水抜き部は、表面部と裏面部に固定された水平支持材に、所定の間隔で設けた水抜き孔から成ることを特徴とする鏡受け具である。
【０００９】
具体的構成の４は、水抜き部は、表面部に固定された水平支持材と、裏面部とによるスリットから成ることを特徴とする鏡受け具である。
【００１０】
具体的構成の５は、水平支持材で鏡板下端部を支持し、段部にカウンターの後端部を嵌合した鏡受け具の下方に、空間部を設けたことを特徴とする、鏡板とカウンターとの連接構造である。
【００１１】
【発明の実施の態様】
以下、図面に基づき、本発明の実施例について説明する。
【００１２】
図１は、洗い場８と図示されないバスタブからなる浴室ユニットに、本発明を適用した斜視図である。
また、図２は鏡板２とカウンター３等を示す正面図、図３は鏡受け具１、鏡板２、カウンター３等の関係を示す垂直断面図である。
【００１３】
洗い場８の壁７には、鏡板２とカウンター３を取付けてある。
鏡板２は、本発明の鏡受け具１によりその下辺が支持され、上辺は、鏡受け具１と同様の断面形状で上下逆に配置した鏡保持具５により保持されている。
【００１４】
鏡受け具１の下部前面に形成した後述する段部に、カウンター３の上面奥側が当接している。また、下方にある鏡受け具１の両端には、その端部を覆う下部カバー４，４が、上方にある鏡保持具５の両端には、上部カバー６，６が、それぞれ取り付けられている。
【００１５】
図４は、本発明の鏡受け具１の実施例を示す断面図である。
図４ａに示す鏡受け具１は、アルミ材、ステンレス材、或いは硬質合成樹脂を押出成型した長尺材から成り、表面部１１と底面部１２と裏面部１３により上面に鏡板を挿入する開口部が形成され、鏡受け具１の下部前方に水平部１５と垂直部１６とからなるカウンターを嵌合する段部が、更に、水平部から裏面部へ延びるようにして水平支持材１４が形成されている。
該水平支持材１４と裏面部１３によりスリット状の排水孔１７が、底面部１２に所定の間隔で水抜き孔１８が形成されている。
【００１６】
図４ｂに示す鏡受け具１も、図４ａに示す鏡受け具１とほぼ同じ形状から成る長尺材であるが、表面部内側のほぼ中程から裏面部１３へ向けて水平支持材１４が設けられ、図４ａに示す鏡受け具と同様、水平支持材１４と裏面部１３により、スリット状の排水孔１７が形成されている。
【００１７】
図４ｃに示す鏡受け具１も、図４ａに示す鏡受け具１とほぼ同じ形状から成る長尺材であるが、その内部には、表面部１１と裏面部１３とを繋ぐようにして、水平支持片１４が形成され、適宜間隔で水抜き孔１７が設けられている。
図４ｄに示す鏡受け具１は、図４ａに示す鏡受け具１との表面部に、装飾ビードを嵌め込む凹部を設けたものである。
【００１８】
図５は、鏡受け具１の両端を塞ぐ下部カバー４を示すもので、図５（ａ）は垂直断面図、図５（ｂ）は、図５（ａ）のＡ−Ａ線断面図、図５（ｃ）は上面図である。
【００１９】
下部カバー４は垂直端面板４９からその一面側に、鏡受け具１端部の表面部１１，水平部１５，垂直部１６，底面部１２を覆う、表面部４１，水平部４５，垂直部４６，底面部４２を一体に形成したものである。
【００２０】
そして、垂直端面板４９から表面部４１の裏側に平行に挟着突起４４，４４を設けてあり、表面部４１と挟着突起４４とで鏡受け部１の表面板１１の端部を挟着して取付けられ、水平部４５，垂直部４６，底面部４２が、鏡受け具１の水平部１５，垂直部１６，底面部１２の外面側に当接する。
また、垂直端面板４９から裏面当接部４３が一体に設けてあり、鏡受け具１の裏面部１３の内側に当接する。さらに、先細にして弾性を持たせた鏡押え４８を一体に設けてある。
【００２１】
次に、上記鏡受け具１を使用した鏡板２とカウンター３の連接構造について、施工手順に従って説明する。
【００２２】
まず、サニタリーユニットの壁７に、図示しないブラケット等によりカウンター３を取付ける。この時、壁７とカウンター３との間には、鏡受け具１の裏面部１３と垂直部１６との幅（厚み）に等しいか、若干広めの間隔を空けておく。
そして、この間隔を利用して、鏡受け具１をはめ込み、左右方向の位置調整をした後、その裏面部１３を壁７にネジやビス等で固定する。この固定作業を容易に行えるように、裏面部１３は図に示すように表面部１１より高くしてあり、その部分に予めネジ孔１９が形成されている。
【００２３】
次に、鏡のサイズに合わせ、鏡受け具１と同一の部材を上下逆とした鏡保持具５を壁７に取付ける。そして、鏡受け具１の裏面部１３・水平支持片１４・表面部１１により構成される溝内と、鏡保持具５の溝内に鏡板２を挿入する。
鏡板２は、その下辺を直接水平支持片１４上に載せてもよく、また、セッティングブロック２５を介して載せてもよいが、鏡板２の表面を流下して上記溝内に流れこんだ水滴を水抜き孔１７，１８を介して早期に排出させるには、セッティングブロック２５を介するのが好ましい。
【００２４】
最後に、鏡受け具１、及び鏡保持具５の各端部に、下部カバー４，４、上部カバー６，６を取付ける。下部カバー４は、その表面部４１と挟着部４４とで鏡受け部１の表面板を挟むとともに、鏡押え４８の端部をその弾性を利用して鏡板２の裏面に押し付けて取付ける。
【００２５】
以上、本発明の好適な実施例について説明したが、他の実施例について説明する。
図に示す実施例では、鏡受け具１の表面部１１は、下部の垂直面と上部の傾斜面とで構成したが、上部は下部の垂直面からなめらかに続く断面円弧状とすることができる。また、垂直面に、長手方向に延在する突条又は凹条を一体形成してもよいし、凹溝あるいはアリ溝を一体形成しこれらの溝に、装飾ビードをはめ込んでもよい（図４ｄ参照）。
装飾ビードとしては、鏡受け具１の色と異なる色の合成樹脂材やステンレス材などを採用することができる。
【００２６】
鏡保持具５として、鏡受け具１と同一のものを使用したが、段部を設けていないものでよい。
請求項１に記載した鏡受け具１は、カウンター３を設けない場合にも使用できるし、鏡２とカウンター３との間に一定の間隔を設け、段部にカウンター３を当接させない場合にも使用できる。
下部カバー４，上部カバー６は、図示のものに限らず、鏡受け具１の端部を塞ぐことができるものであれば差しつかない。
【００２７】
【発明の効果】
上記したように、本発明の鏡受け具を使用することにより、鏡とカウンターの取付け作業時に、鏡とカウンターの水平位置の調整をそれぞれ別個に行う必要をなくし、また、鏡とカウンターとを略連続的に設置することにより、一体的に見せることができて外観を向上させることができる。
更に、カウンターは、鏡受け具の下部前方に設けた段部に嵌合して取り付けられるので、鏡受け具の水抜き孔から出た水がカンターに流れることはなく、カウンターに水垢がつきにくくなる。
【図面の簡単な説明】
【図１】本発明の鏡受け具を、浴室ユニットに適用した斜視図である。
【図２】本発明の鏡受け具の正面図である。
【図３】本発明の鏡受け具の垂直断面図である。
【図４】本発明の鏡受け具の拡大断面図である。
【図５】
（ａ）本発明の鏡受け具の両端部に取付ける下部カバーの垂直断面図である。
（ｂ）上記におけるＡ−Ａ線断面図である。
（ｃ）上記下部カバーの上面図
【符号の説明】
１　　鏡受け具
１１　表面部
１２　底面部
１３　裏面部
１４　水平支持材
１５　水平部
１６　垂直部
１７　水抜き孔
１８　水抜き孔
１９　ネジ孔
２　　鏡板
２５　セッティングブロック
３　　カウンター
４　　下部カバー
４１　表面部
４２　底面部
４３　裏面当接部
４４　挟着突起
４５　水平部
４６　垂直部
４８　鏡押え
４９　垂直端面板
５　　鏡保持具
６　　上部カバー
７　　壁
８　　洗い場
【図１】
2004024777.tif 000003
【図２】
2004024777.tif 000004
【図３】
2004024777.tif 000005
【図４】
2004024777.tif 000006
【図５】
2004024777.tif 000007